(57)【要約】【課題】光学ディスクドライブのデータ復元方法の提供。【解決手段】本発明は、ＰＲＭＬ検出により一枚のディスクに保存されたチャネルビット列を復号化する光学ディスクドライブのデータ復元方法を提供する。従来の技術と異なり、本発明では検知したＲＦ信号を直接復号化するのではなく、一部のＲＦ信号を理想とされるＲＦ信号のレベルにまで調整した後で復号化を図ることにより、チャネルビットにおける復号化エラー率を低下させるものである。本方法にはそのプロセスとして、第一ＲＦ信号列を検出、ＲＦ信号列が特定条件の信号ビット列に符合するか否かを判断、第一ＲＦ信号列において複数のＲＦ信号が特定の理想とするＲＦ信号となるように調整、並びに第二ＲＦ信号列を形成、その後復号化して第二ＲＦ信号列を取出し、が含まれる。実施例中において、本発明のデータ復元方法はパーシャルリスポンス通信路ＰＲ（１,２,２,２,１）系統中に応用されている。【選択図】図５
2007141348.tif 000002
【特許請求の範囲】
【請求項１】
ＰＲＭＬ検出により一枚のディスクに保存されたチャネルビット列を復号化し、そのプロセスとして、
第一ＲＦ信号列を検出、
ＲＦ信号列が特定条件の信号ビット列に符合するか否かを判断、
第一ＲＦ信号列において複数のＲＦ信号が特定の理想とするＲＦ信号となるように調整、並びに第二ＲＦ信号列を形成、第二ＲＦ信号ビット列復号化、といったステップが含まれることを特徴とする光学ディスクドライブのデータ復元方法。
【請求項２】
請求項１記載の光学ディスクドライブのデータ復元方法において、当該特定条件の信号組成とは、当該第一RF信号ビット列中における複数個のＲＦ信号が特定の信号レベルと波形（ｐａｔｔｅｒｎ）を具備していることを指すことを特徴とする光学ディスクドライブのデータ復元方法。
【請求項３】
請求項１記載の光学ディスクドライブのデータ復元方法において、当該ディスク上のチャネルビット列をＰＲチャネルに通過させ当該第一ＲＦ信号ビット列をピックアップすることを特徴とする光学ディスクドライブのデータ復元方法。
【請求項４】
ＰＲＭＬ検出を応用して一枚のディスク上に記録されたチャネルビット列を複合化するに当たり、そのＰＲチャネルがＰＲ（１、２、２、２、１）であり、且つディスク上のチャネルビット列がＲＬＬ（１、ｎ）符号化原則（ｎは正の整数）に符合し、理想とするＲＦ信号には九個の信号レベル０、±２、±４、±６、±８が含まれ、当該光学ディスクドライブのデータ復元方法として、
ビット列（ａ、ｂ、ｃ）を含むＲＦ信号ビット列をピックアップ、
当該ビット列（ａ、ｂ、ｃ）が（２、４、２）または（-２、-４、-２）という特定のビット列に属するものか否かを判断、
当該ビット列（ａ、ｂ、ｃ）を（２、４、２）または（-２、-４、-２）に調整後、ＲＦ信号ビット列を復号化、が含まれることを特徴とする光学ディスクドライブのデータ復元方法。
【請求項５】
請求項４記載の光学ディスクドライブのデータ復元方法において、当該ビット列（ａ、ｂ、ｃ）が（２、４、２）または（-２、-４、-２）という特定のビット列に属するものか否かを判断するプロセスにおいて、
「ｂが（ｍ１、ｍ２）という上下制限値内にあり、且つａとｃがｂよりも小さい数か否かに基づき、当該ビット列（ａ、ｂ、ｃ）が（２、４、２）という特定のビット列に属することを判断し、２＜ｍ１＜４＜ｍ２＜６である。」、および
「ｂが（ｎ１、ｎ２）という上下制限値内にあり、且つａとｃがｂよりも大きい数か否かに基づき、当該ビット列（ａ、ｂ、ｃ）が（-２、-４、-２）という特定のビット列に属することを判断し、-２＞ｎ１＞-４＞ｎ２＞-６である。」を含むことを特徴とする光学ディスクドライブのデータ復元方法。
【発明の詳細な説明】
【技術分野】
【０００１】
本発明は、光信号のＲＦ波形を調整してチャネルビット復号化エラー率を低下させるようなデータ復元方法に関するもの、特に光学ディスクドライブのデータ復元方法に関するものである。
【背景技術】
【０００２】
符号化はディジタル系統、特にディジタル信号であり、データディスクドライブ中において重要な一環を占める。一般的には、符号化には下記の三種類がある。情報源符号化(ｓｏｕｒｃｅ ｃｏｄｉｎｇ)、誤り訂正符号化(ｅｒｒｏｒ ｃｏｎｔｒｏｌ ｃｏｄｉｎｇ)、通信路符号化(ｃｈａｎｎｅｌ ｃｏｄｉｎｇ)。情報源符号化の目的は、人またはコンピュータを来源とする情報をディジタルデータ列、特に二値化されたビット列に変換し、当該情報内容を圧縮するもの。誤り訂正符号化はディジタルデータ列を新しいビット列に符号化し、このビット列にエラー信号を検知、校正させて保護機能を持たせるもの。通信路符号化の目的は、ビット列を効率的に変調してデータ通信路または記憶メディアまで送り、データ送信または保存の便を図るものである。
【０００３】
ランレングス制限(ＲＬＬ) (Ｒｕｎ-Ｌｅｎｇｔｈ Ｌｉｍｉｔｅｄ) は、ＨＤＤ、ＣＤ-ＲＯＭ、ＤＶＤ-ＲＯＭといったディスクドライブ装置において広く使用されている通信路符号化技術である。ＲＬＬは通常。ＲＬＬ（ｍ、ｎ）で表示され、符号化後のデータ中において、非ゼロ復帰記録（Ｎｏｎ-Ｒｅｔｕｒｎ-ｔｏ-Ｚｅｒｏ, ＮＲＺ）の法則により、二個の″１″の間に最少ｍ個、最多ｎ個の″０″を含むことを表している。たとえば、ＲＬＬ（１、７）符号化後のコードワード（ｃｏｄｅｗｏｒｄ）は、二個の″１″の間に最少１個、最多で連続７個の″０″を含むことになる。
【０００４】
光学ディスクドライブにおけるデータ取り込み過程は概ね以下のとおり。読取り書込みヘッドが固定波長のレーザー光をディスクに照射し、反射レーザー光を受けてＰＲＭＬ（Ｐａｒｔｉａｌ Ｒｅｓｐｏｎｓｅ Ｍａｘｉｍｕｍ Ｌｉｋｅｌｉｈｏｏｄ）検出によりチャネルビットのＲＦ波形をピックアップ、最尤推定法で探索して（たとえばビタビアルゴリズム）、記録されたチャネルビット列を復元、最後に、チャネルビット列を誤り制御符合を経て復号化して、所要のデータビット（情報）を取得する。ノイズや干渉の影響により、検出されたチャネルビットのＲＦ波形は通常、理想のＲＦレベルと比して隔たりがあり、誤りが大きすぎると、チャネルビット復元化作業に影響を与えることになる。
【０００５】
ディスク記憶密度が日に日に高くなる現在の趨勢下にあって、光学ディスクドライブのデータ再生の正確さをアップさせるに当たり、誤り制御/校正符合だけでは不十分である。本発明における動機は、チャネルビットのエラー率を低下させ、全体の復号化機能を向上させるようなデータ復元方法を提供することにある。いかにしてチャネルビットのエラー率を低下させるかに関しては、以下、実施形態の欄において詳述する。
【発明の開示】
【発明が解決しようとする課題】
【０００６】
本発明における第一の目的は、ピックアップされた光信号のＲＦ波形を調整して、チャネルビットの正確さを向上させるような光学ディスクドライブのチャネルビットデータ復元方法を提供することである。
【０００７】
本発明における第二の目的は、チャネルビットのエラー率を低下させ、光学ディスクドライブ全体の復号化エラー率を降下させるような光学ディスクドライブのデータ復元方法を提供することである。
【０００８】
上述に依拠して、本発明は、ＰＲＭＬ検出を応用して一枚のディスク上に記録されたチャネルビット列を複合化するに当たり、その方法におけるプロセスとして、第一ＲＦ信号列を検出、ＲＦ信号列が特定条件の信号ビット列に符合するか否かを判断、第一ＲＦ信号列において複数のＲＦ信号が特定の理想とするＲＦ信号となるように調整、並びに第二ＲＦ信号列を形成、その後復号化して第二ＲＦ信号列を取出し、が含まれるような、光学ディスクドライブのデータ復元方法を提供することである。
【課題を解決するための手段】
【０００９】
請求項１の発明は、ＰＲＭＬ検出により一枚のディスクに保存されたチャネルビット列を復号化し、そのプロセスとして、
第一ＲＦ信号列を検出、
ＲＦ信号列が特定条件の信号ビット列に符合するか否かを判断、
第一ＲＦ信号列において複数のＲＦ信号が特定の理想とするＲＦ信号となるように調整、並びに第二ＲＦ信号列を形成、第二ＲＦ信号ビット列復号化、といったステップが含まれることを特徴とする光学ディスクドライブのデータ復元方法としている。
請求項２の発明は、請求項１記載の光学ディスクドライブのデータ復元方法において、当該特定条件の信号組成とは、当該第一RF信号ビット列中における複数個のＲＦ信号が特定の信号レベルと波形（ｐａｔｔｅｒｎ）を具備していることを指すことを特徴とする光学ディスクドライブのデータ復元方法としている。
請求項３の発明は、請求項１記載の光学ディスクドライブのデータ復元方法において、当該ディスク上のチャネルビット列をＰＲチャネルに通過させ当該第一ＲＦ信号ビット列をピックアップすることを特徴とする光学ディスクドライブのデータ復元方法としている。
請求項４の発明は、ＰＲＭＬ検出を応用して一枚のディスク上に記録されたチャネルビット列を複合化するに当たり、そのＰＲチャネルがＰＲ（１、２、２、２、１）であり、且つディスク上のチャネルビット列がＲＬＬ（１、ｎ）符号化原則（ｎは正の整数）に符合し、理想とするＲＦ信号には九個の信号レベル０、±２、±４、±６、±８が含まれ、当該光学ディスクドライブのデータ復元方法として、
ビット列（ａ、ｂ、ｃ）を含むＲＦ信号ビット列をピックアップ、
当該ビット列（ａ、ｂ、ｃ）が（２、４、２）または（-２、-４、-２）という特定のビット列に属するものか否かを判断、
当該ビット列（ａ、ｂ、ｃ）を（２、４、２）または（-２、-４、-２）に調整後、ＲＦ信号ビット列を復号化、が含まれることを特徴とする光学ディスクドライブのデータ復元方法としている。
請求項５の発明は、請求項４記載の光学ディスクドライブのデータ復元方法において、当該ビット列（ａ、ｂ、ｃ）が（２、４、２）または（-２、-４、-２）という特定のビット列に属するものか否かを判断するプロセスにおいて、
「ｂが（ｍ１、ｍ２）という上下制限値内にあり、且つａとｃがｂよりも小さい数か否かに基づき、当該ビット列（ａ、ｂ、ｃ）が（２、４、２）という特定のビット列に属することを判断し、２＜ｍ１＜４＜ｍ２＜６である。」、および
「ｂが（ｎ１、ｎ２）という上下制限値内にあり、且つａとｃがｂよりも大きい数か否かに基づき、当該ビット列（ａ、ｂ、ｃ）が（-２、-４、-２）という特定のビット列に属することを判断し、-２＞ｎ１＞-４＞ｎ２＞-６である。」を含むことを特徴とする光学ディスクドライブのデータ復元方法としている。
【発明の効果】
【００１０】
本発明において、ＰＲＭＬ検出を応用して一枚のディスク上に記録されたチャネルビット列を複合化するに当たり、そのＰＲ通信路がＰＲ（１、２、２、２、１）であり、且つディスク上のチャネルビット列がＲＬＬ（１、ｎ）符号化原則（ｎは正の整数）に符合し、理想とするＲＦ信号には九個の信号レベル０、±２、±４、±６、±８が含まれる。そのデータ復元方法として、ビット列（ａ、ｂ、ｃ）を含むＲＦ信号列をピックアップ、当該ビット列（ａ、ｂ、ｃ）が（２、４、２）または（-２、-４、-２）という特定のビット列に属するものか否かを判断、当該ビット列（ａ、ｂ、ｃ）を（２、４、２）または（-２、-４、-２）に調整後、ＲＦ信号列を復号化、が含まれるような、光学ディスクドライブのデータ復元方法を提供するものである。
【発明を実施するための最良の形態】
【００１１】
ディスク上において、ピット（ｐｉｔ）・ランド（ｌａｎｄ）変換の箇所がチャネルビット″１″であり、平坦なピット、ランドが″０″である、との前提で話を進める。従来の技術によると、ＲＬＬ（ｍ、ｎ）においてふたつの″１″の間に最少ｍ個、最多ｎ個の″０″が含まれると制限されている。言い換えると、光ディスク上のピット、ランドに対応して、ＲＬＬ符号化の特性がピット長、ランド長を制限していることになる。本発明の実施例中におけるチャネルビットの表示方法に関して、ピットを″-１″で表し、ランドを″１″で表す。例を挙げると、記録ビット列（-１、-１、１、１、-１）を一般ＲＬＬコードで表すと（０,１,１,０）、記録ビット列（１、-１、-１、１、１）は（１,０,１,０）となる。ディスク上においてＲＬＬ符号化規則に符合するチャネルビット列は、ｍ値が１を上回るので、最小ピット長または最小ランド長は２と限定され、ゆえに（-１、１、-１）または（１、-１、１、）といったピット・ランド変換が連続するビット列は存在しない。
【００１２】
ＰＲＭＬ検出に当たり周知の符合間干渉（Ｉｎｔｅｒ-Ｓｙｍｂｏｌ Ｉｎｔｅｒｆｅｒｅｎｃｅ, ＩＳＩ）を用いてＰＲ通信路を読取り書込みヘッド/ディスク間のチャネルレスポンスに整合（ｍａｔｃｈ）させ、最尤推定法を用いてチャネルビット列を検出/決定する。これによって、ＰＲＭＬをもってディスク上に記録されたチャネルビット列を検出し、ノイズ影響のない環境下において、これはチャネルビットがＰＲ通信路を通過した後のアウトプットに相当する。数学的に表示すると、チャネルビットとＰＲ通信路モデルとの畳み込み積分（ｃｏｎｖｏｌｕｔｉｏｎ）の結果である。例を挙げると、チャネルビット列が（１、-１、-１、-１、１）とすると、ＰＲ通信路モデルＰＲ（１,２,１）が検出するＲＦ波形のチャネルビット列（１、-１、-１、-１、１）とビット列（１,２,１）の畳み込み積分の結果、すなわち（-２、-４、-２）である。
【００１３】
ＲＬＬ符号化規則に符合する二値データ列は、ＰＲ（１,２,１）、ＰＲ（１,２,２,１）、ＰＲ（１,２,２,２,１）といった光学ディスクドライブにおいて常用されるＰＲ通信路モデルのアウトプットを経るに当たり、一定のモードを有している。言い換えると、ＲＬＬ符号化における二値データ列と上述のＰＲ通信路モデルとの畳み込み積分後、明確な特性を具備する。これらの特性の応用を経て、ディスクのチャネルビット復号化に当たり、チャネルビットの復号化エラー率を低下させる。
【００１４】
ＰＲ（１,２,２,２,１）を例にとると、ＲＬＬ（１、ｎ）符号化規則に符合する二値データ列（ｎは１より大）は、畳み込み積分の結果、それぞれ０、±２、±４、±６、±８のレベルにある。ディスクのチャネル復号化に当たり、ノイズと干渉がない条件下において、ＲＦの可能性としては０、±２、±４、±６、±８に限られ、ＲＦのビット列はビタビアルゴリズムを経て復号化されディスク上のチャネルビットに記録される。
【００１５】
検出されたＲＦが特定のレベルにあるのに加えて、レベル４の位置にある理想のＲＦは、必ずデータ列（-１、１、１、１、-１）とＰＲ（１、２、２、２、１）との畳み込み積分の結果であり、レベル-４の位置にある理想のＲＦは、必ずデータ列（１、-１、-１、-１、１）とＰＲ（１、２、２、２、１）との畳み込み積分の結果である。言い換えると、データ列（-１、１、１、１、-１）がなければ理想のＦＲ波形となるレベル４をアウトプットできない、或いはデータ列（１、-１、-１、-１、１）がなければ理想のＲＦ波形となるレベル-４をアウトプットできないことになる。″ｍは１以上″というＲＬＬ （ｍ、ｎ）コード規則に鑑みて、データ列（-１、１、１、１、-１）における前後二個のビット数値は必ず-１であり、データ列（１、-１、-１、-１、１）における前後二個のビット数値は必ず１である（または以下のようにも言える。データ列（-１、１、１、１、-１）を一般コード表示すればＶ１＝（１,０,０,１）であり、二個の″１″の間に最小一個の″０″というＲＬＬコード化制限条件を満たすためには、Ｖ１の前後には必ず″０″が必要。すなわち、（０、Ｖ１、０）＝（０、１、０、０、１、０）である。実施例において使用する表記方式ではビット列（-１、-１、１、１、１、-１、-１）となる。データ列（１、-１、-１、-１、１）の場合は同様に類推されたし。）。よって、理想のＲＦ波形となるレベル４の前後二個のＲＦは必ず２であり（データ列（１、１、-１、-１、-１）とＰＲ（１、２、２、２、１）、およびデータ列（-１、-１、-１、１、１）とＰＲ（１、２、２、２、１）との畳み込み積分の結果は２）、理想のＲＦ波形となるレベル-４の前後二個のＲＦは必ず-２である（データ列（-１、-１、１、１、１）とＰＲ（１、２、２、２、１）、およびデータ列（１、１、１、-１、-１）とＰＲ（１、２、２、２、１）との畳み込み積分の結果は-２）。
【００１６】
上述の特性がディスクのチャネルビット復号化の助けとなる。ノイズの影響により、実際上検出されるＲＦは０、±２、±４、±６、±８のレベル上にはなく、多少のずれが見られる。いま、ＲＦ信号列Ｒ１＝（０.２、２.３、３.８、１.８、-０.１）と仮定すると、理想のＲＦ信号列は（０、２、４、２、０）である。従来の技術において、図１を参照すると、ＲＦ信号列が直接ビタビアルゴリズムを経て、軟判定(Ｓｏｆｔ Ｄｅｃｉｓｉｏｎ)復号法によりチャネルビット復元されている。そして本発明の発想の原点において、レベル４にあるＲＦの前後は必ず２であることが既に判明しているので、ＲＦ信号列Ｒ１において、理想のＲＦであるレベル４になると思われる点を先にレベル４に調整し、前後を２に調整して再びビタビアルゴリズムを施す。本例中の図２において、すなわち、３.８を４に調整し、２.３と１.８を２に調整し、ＲＦ信号列Ｒ２=（０.２、２、４、２、-０.１）を得た後で、再びビタビアルゴリズムを施す。ＲＦ信号列Ｒ２は既にノイズの影響を除去されている（中間三個のＲＦレベルが修正されている）ので、ＲＦ信号列Ｒ１に直接ビタビアルゴリズムを施すよりも正確度は高い。
【００１７】
同様の特性はＲＦがレベル-４となる点にも成立する。前述のように、レベル-４にあるＲＦの前後は必ず-２である。いま、ＲＦ信号列R３＝（０.２、-１.８、-４.２、-２.４、-０.１）と仮定すると、理想のＲＦ信号列は（０、-２、-４、-２、０）である。従来の技術では、ＲＦ信号列Ｒ３を直接復号化する（図３）が、本発明においては、図４のように、-１.８、-４.２、-２.４を-２、-４、-２に調整し、ＲＦ信号列Ｒ４=（０.２、-２、-４、-２、-０.１）を得た後で復号化を行う。
【００１８】
上述の方法における実施上のポイントは、まず先にＲＦ信号列においてレベル４（或いは-４）になると思われる点を判断し、その後で前後のＲＦレベルの大きさ（より大きい、或いはより小さい）を探索する。以上の二条件が同時に満たされる場合に限り、当該レベルとその前後を２、４、２（或いは-２、-４、-２）に調整できることになる。４或いは-４となる点を判断する簡単な条件は、上下制限値を設けることであり、検出されたＲＦレベルが当該上下制限値内にある場合に、当該レベルが４或いは-４に調整可能と推定する。たとえば、４の上下制限値を４.３と３.７、-４の上下制限値を-４.３と-３.７とし、続いて前後のＲＦレベルの大きさ（より大きい、或いはより小さい）を探索する。上述の例において、ＲＦ信号列Ｒ３において２.３、１.８はともに３.８を下回り、ＲＦ信号列Ｒ４において-１.８、-２.４はともに-４.２を上回るので、以上の方式を用いての調整が可能となる。
【００１９】
ここで、実施例の方法に依拠すれば、信号列（０.３、２.６、３.４、３.６、２.１）は調整不可能（３.４と３.６は当該上下制限値外）、；信号列（０.３、２.６、２.８、３.９、３.４）は（０.３、２.６、２、４、２）に調整可能（３.９は当該上下制限値内、且つ２.８と３.４は３.９を下回る）。ゆえに、レベル４の判断は、以下のような判断式で表示可能である、
ＩＦ ＲＦ(ｉ)ｎ２、
ＩＦ (ＲＦ(ｉ+１) ＆＆ ＲＦ(ｉ-１))＜ＲＦ(ｉ)、
ＲＦ(ｉ)=４、
ＲＦ(ｉ+１)=２、
ＲＦ(ｉ-１)=２、
ＥＮＤ
ＥＮＤ
そのうち、ＲＦ(ｉ)は第ｉ個目のＲＦ信号列の値、ｎ１とｎ２はレベル４判断に当たっての上下制限値、ｎ１＞ｎ２（それぞれ４.３と３.７)。
【００２０】
同様にして、レベル-４の判断は、以下のような判断式で表示可能である、
ＩＦ ＲＦ(ｉ)ｎ４、
ＩＦ (ＲＦ(ｉ+１) ＆＆ ＲＦ(ｉ-１))＞ＲＦ(ｉ)、
ＲＦ(ｉ)=-４、
ＲＦ(ｉ+１)=-２、
ＲＦ(ｉ-１)=-２、
ＥＮＤ
ＥＮＤ
そのうち、ｎ３とｎ４はレベル-４判断に当たっての上下制限値、ｎ３＞ｎ４（それぞれ-３.７と-４.３）。
【００２１】
復号化方法の光学ディスクドライブにおける応用は図５に示すとおり。ディスクから反射されてきたレーザー光を検知し、ＲＦ信号ビット列をピックアップする（ステップ３００）。ＲＦ信号列中において、レベル４或いはレベル-４判断となる上下制限値内にある点の有無を探索する（ステップ３０２）。そのうち、レベル４の上下制限値を４.３と３.７、レベル-４の上下制限値を-４.３と-３.７とする。もしＲＦ信号列において符合する点がなければ、ステップ３１２を進めてＲＦ信号列に対して直接ビタビアルゴリズムを施す。もしそれがあり、且つレベル４の上下制限値内にある場合には、ステップ３０４に進み、当該点の前後二点がどちらも当該点のレベル値より小さいか否かを判断し、もしそうであれば、ＲＦ信号列を調整して、当該点とその前後二点を順に２、４、２とする（ステップ３０６）。もしなければ、ステップ３１２に進む。もしステップ３０２の結果、当該点がレベル-４の上下制限値内にある場合には、ステップ３０８に進み、当該点の前後二点がどちらも当該点のレベル値より大きいか否かを判断し、もしそうであれば、RF信号列を調整して、当該点とその前後二点を順に-２、-４、-２とする（ステップ３１０）。もしなければ、ステップ３１２に進む。
【００２２】
これらを総合すると、本発明はＲＬＬコードとＰＲチャネル（特にＰＲ(１、２、２、２、１)チャネル）を根拠に畳み込み積分を行った後アウトプットするという特性があり、特定条件に符合するＲＦ信号列の調整を経て、後続のチャネルビット復号化のエラー率を低下させるものである。本発明者は、特にＰＲ(１、２、２、２、１)モデルに関して、ＲＦレベルが４（或いは-４）となる点においてその特徴が最も顕著であり、その前後二点は理想的な状況下において必ず２（或いは-２）となることを発見した。ゆえに、条件に符合するＲＦ信号列の点をビタビアルゴリズムに進む前の段階において、上述の実施例のような方式で先行調整し、調整後のＲＦ信号列に基づき複合化を行えば、チャネルビット復号化のエラー率を低下させることが可能である。
【００２３】
さらに、本発明の着想はその他の実施例においても広く応用可能であり、上述のＰＲ(１、２、２、２、１)或いはＲＦレベル４或いは-４に限るものではない。たとえば、ＰＲ(１、２、２、１)とＲＬＬ（１、３）コード化規則に符合するデータビットからいくと、ＲＦレベル６の前後二点は必ず４である（理想上はビット列（１、１、１、１）のみがＲＦレベル６を形成可能）。同時にＲＬＬ（１、３）コード化規則による制限から、ビット列（１、１、１、１）前後は必ず-１となり、レベル６前後二点のＲＦレベルは必ず４となる。前述の方法と同様にして、ＲＦ信号列中においてレベル６となる点が含まれ且つその前後がどちらも当該点よりも小さければ、類似方法を用いて調整が可能となる（たとえば、ビット列（０.３、２.５、４.４、５.８、５.１、３.４）は（０.３、２.５、４、６、４、３.４）まで調整可能）。
【００２４】
これによって、″ＲＦ検出段階において理想とするＲＦレベルを得る″という条件を満たすことさえできれば、検出されたＲＦを理想とするＲＦへと調整し、新しいＲＦ 信号列を形成させて、この新しいＲＦ信号列に基づき復号化を行いチャネルビット復号化のエラー率を低下させ、ディスクデータ読取りに当たる復号化の正確度を増進することが可能となる。このほか、本発明に基づく光学ディスクドライブのデータ復元方法は、ＣＤ-ＲＯＭ、ＤＶＤ-/+Ｒ、ＤＶＤ-ＲＯＭ、ＤＶＤ-/＋ＲＷ等の各種光学ディスクドライブにおいて広く応用可能である。
【図面の簡単な説明】
【００２５】
【図１】ＲＦ信号列Ｒ１
【図２】本発明において元RF信号列Ｒ１が別のＲＦ信号列Ｒ２に調整される様子
【図３】ＲＦ信号列Ｒ３
【図４】本発明において元ＲＦ信号列Ｒ３が別のＲＦ信号列Ｒ４に調整される様子
【図５】本発明における復号化方法の流れ図
【符号の説明】
【００２６】
３００    ＲＦ信号列検出
３０２    レベル４或いは-４を含む
３０４    前後二点が当該点よりも小さい？
３０６    当該点とその前後二点を順に２、４、２に調整
３０８    前後二点が当該点よりも大きい？
３１０    当該点とその前後二点を順に-２、-４、-２に調整
３１３    ビタビアルゴリズム復号化
【図１】
2007141348.tif 000003
【図２】
2007141348.tif 000004
【図３】
2007141348.tif 000005
【図４】
2007141348.tif 000006
【図５】
2007141348.tif 000007